(57)【要約】      （修正有）【課題】接続対象を即時に切り替えることができるブルートゥース装置を提供する。【解決手段】コントローラは切替プログラムを有し、保存機能を備える。また、コントローラは、１個以上の入力ポートおよび１個以上の出力ポートを有し、そのうち入力ポートに１個以上の切替スイッチが設けられ、出力ポートに指示ユニットが設けられる。ブルートゥース装置のコントローラは、ペアリング完成後のホストの設定データを保存する。したがって、ブルートゥース装置を異なるペアリングホストと接続したいとき、切替スイッチを利用してペアリングホストの設定データを選択する必要があるだけで、接続対象を即時に切り替えることができる。指示ユニットは、ペアリングホストを選択する番号を表示する。前記技術を利用し、ブルートゥース装置に存在する、異なるホストで使用する際に、新たに設定を行う必要があるという問題を効果的に解決した。【選択図】図１
0003168344.tif 000002
【実用新案登録請求の範囲】
【請求項１】
主にコントローラ、ブルートゥース無線モジュール、指示ユニットを含む、接続対象を即時に切り替えることができるブルートゥース装置であって、
該コントローラが、切替および保存機能を有し、該コントローラが１個以上の入力ポート、１個以上の出力ポートおよび入／出力ポートを有し、そのうち入力ポートに１個以上の切替スイッチが設けられ、
該ブルートゥース無線モジュールが、前記コントローラの入／出力ポートと接続し、コントローラがブルートゥース通信プロトコルによって信号を送受信し、
該指示ユニットが前記コントローラの出力ポートと接続し、１個以上の識別情報を生成して、ブルートゥース装置の接続対象を指示する、
ことを特徴とするブルートゥース装置。
【請求項２】
該ブルートゥース装置がブルートゥースキーボードであって、該キーボードがさらに標準キーボード配列を含み、該標準キーボード配列がコントローラと接続することを特徴とする、請求項１に記載の接続対象を即時に切り替えることができるブルートゥース装置。
【請求項３】
該コントローラの入力ポートの切替スイッチが、標準キーボード配列のうちの１つのキーであることを特徴とする、請求項２に記載の接続対象を即時に切り替えることができるブルートゥース装置。
【請求項４】
該コントローラの入力ポートの切替スイッチが、標準キーボード配列以外の独立したキーであることを特徴とする、請求項２に記載の接続対象を即時に切り替えることができるブルートゥース装置。
【請求項５】
該コントローラの入力ポートの切替スイッチが、標準キーボード配列のうちの２個以上のキーからなるコンビネーションキーであることを特徴とする、請求項２に記載の接続対象を即時に切り替えることができるブルートゥース装置。
【請求項６】
該ブルートゥース装置が、ブルートゥースマウスであることを特徴とする、請求項１から５のいずれか１項に記載の接続対象を即時に切り替えることができるブルートゥース装置。
【請求項７】
該ブルートゥース装置が、ブルートゥーススピーカであることを特徴とする、請求項１から５のいずれか１項に記載の接続対象を即時に切り替えることができるブルートゥース装置。
【請求項８】
該ブルートゥース装置が、ブルートゥースジョイスティックであることを特徴とする、請求項１から５のいずれか１項に記載の接続対象を即時に切り替えることができるブルートゥース装置。
【請求項９】
該ブルートゥース無線モジュールが、無線ユニット、アンテナおよび制御ユニットを含むことを特徴とする、請求項１から８のいずれか１項に記載の接続対象を即時に切り替えることができるブルートゥース装置。
【請求項１０】
該ブルートゥース無線モジュールの制御ユニットが、コントローラで整合されることを特徴とする、請求項９に記載の接続対象を即時に切り替えることができるブルートゥース装置。
【請求項１１】
該指示ユニットが、ディスプレイであることを特徴とする、請求項１から８のいずれか１項に記載の接続対象を即時に切り替えることができるブルートゥース装置。
【請求項１２】
該指示ユニットが、１個以上の発光ダイオードからなる指示灯の組合せであることを特徴とする、請求項１から８のいずれか１項に記載の接続対象を即時に切り替えることができるブルートゥース装置。
【考案の詳細な説明】
【技術分野】
【０００１】
本考案はブルートゥース装置、特に接続対象を即時に切り替えることができるブルートゥース装置に関する。
【背景技術】
【０００２】
ブルートゥース（Ｂｌｕｅｔｏｏｔｈ）は、ワイヤレスパーソナルエリアネットワーク（Ｗｉｒｅｌｅｓｓ  ＰＡＮ）である。エリクソンによって開発され、その後ブルートゥーススペシャルインタレストグループ（ＳＩＧ、Ｂｌｕｅｔｏｏｔｈ  Ｓｐｅｃｉａｌ  Ｉｎｔｅｒｅｓｔ  Ｇｒｏｕｐ）によって技術標準が制定された。
【０００３】
当初、ブルートゥースは、携帯電話およびハンズフリー装置間の無線通信に利用され、現在に至って変化し、その応用範囲は広範におよぶ。例えば、短距離のコンピュータ間の無線ネットワーク、コンピュータおよび周辺デバイス（マウス、イヤホンマイク、プリンタなど）間の無線接続、ブルートゥース装置間のファイル伝送、有線装置の無線化、ワイヤレスアプリケーションプロトコルなどである。広範囲に応用されるため、現在新しいノート型パソコンの大半には、ブルートゥース機能が内蔵されており、各種ブルートゥース装置とペアリング連結する。ブルートゥースは、短距離のワイヤレスパーソナルエリアネットワークであるため、多くのコンピュータ周辺デバイス、例えばキーボード、マウス、イヤホン、スピーカなどは、すべてブルートゥースを利用して通信プロトコルとしており、その利便性は疑うべくもない。しかしブルートゥース装置には、使用に際し、依然として悩まされる部分がある。
【０００４】
一般のブルートゥースユーザに周知されているように、ブルートゥース装置は、多種のホスト（コンピュータ、携帯電話など）とペアリングすることができるが、ペアリング確認をした後、１つのブルートゥース装置は、最後にペアリング確認した１つのホストとしかペアリングすることができない。つまり、１対１の形式であり、使用前に、まずペアリングを行わなければならない。１つのブルートゥースキーボードおよびホストである１つのコンピュータをペアリングさせることを例とすると、ブルートゥースキーボードをまず起動し、コンピュータにブルートゥースキーボードを検索させる。ユーザがブルートゥースキーボードを選択すると、すぐに数列で構成される暗号化キー（ｐａｓｓｋｅｙまたはｐａｓｓｃｏｄｅという）が生成される。ユーザがブルートゥースキーボードにこの暗号化キーを入力すると、ペアリング設定が完成する。
【０００５】
前記ブルートゥースキーボードをホストであるコンピュータとペアリングして使用すると、再度使用するとき、新たに設定する必要はない。しかしながら、ブルートゥースキーボードを異なるコンピュータとペアリングさせて使用するとき、ホストであるコンピュータを取り換えるごとにペアリングを行い、すでに使用したコンピュータであっても、新たにもう一度設定する必要がある。これは、ブルートゥースキーボードおよびホストであるコンピュータのペアリングを行うとき、暗号化キーを交換しなければならないためである。ブルートゥースキーボードは、異なる暗号化キーを利用して暗号化を行い、コンピュータとのデータ伝送を行い、伝送したデータがその他のコンピュータに受け取られないようにする。
【０００６】
上記からわかることは、ブルートゥース装置は複数の異なるホストデバイスとペアリングすることができるが、接続使用は、１対１のモードでしか行うことができず、ブルートゥース装置の接続対象を、ホストである１つのコンピュータから別のコンピュータに変えるとき、別のコンピュータとペアリング設定を行わなければならないことである。元のコンピュータとの接続を回復したい場合、暗号化キーはすでに変更されているため、新たにもう１度設定しなければならない。複数のホストデバイスを有し、ブルートゥース装置を共同で使用するユーザにとって、この使用方法の不便である点が容易に推測できる。
【考案の概要】
【考案が解決しようとする課題】
【０００７】
したがって、本考案の主な目的は、接続対象を即時に切り替えることができるブルートゥース装置を提供することである。すでにペアリングしたホストを容易に切り替えることができ、複雑なペアリング設定の繰り返し過程を経る必要がなく、ブルートゥース装置の接続対象を変更するときに存在する問題を効果的に解決した。
【課題を解決するための手段】
【０００８】
前記目的を達成するために、講じた主な技術手段として、前記ブルートゥース装置はコントローラ、ブルートゥース無線モジュール、指示ユニットを含む。
【０００９】
コントローラは、切替および保存機能を有する。コントローラは、１個以上の入力ポート、１個以上の出力ポートおよび入／出力ポートを有し、そのうち入力ポートに１個以上の切替スイッチが設けられる。
【００１０】
ブルートゥース無線モジュールは、コントローラの入／出力ポートと接続しており、コントローラがブルートゥース通信プロトコルにより信号を送受信する。
【００１１】
指示ユニットは、コントローラの出力ポートと接続し、１個以上の識別情報を生成して、ブルートゥース装置の接続対象を指示する。
【００１２】
ブルートゥース装置のコントローラは、過去にホストとペアリングした際の設定データを保存する。各設定データは、それぞれ指示ユニットが生成する識別情報と対応する。ブルートゥース装置を異なるホストとペアリング接続したいとき、切替スイッチを利用し、コントローラに内蔵された切替機能を実行して、ペアリングしたいホストの設定データを選択するだけでよい。指示ユニットは、選択したホストに対応する識別情報を表示して、ユーザが確認できるようにし、接続対象の切替が容易に完成する。設定過程を繰り返す必要はない。これにより、ブルートゥース装置の接続対象を変更するときに、新たにペアリング確認をする必要があり、不便である既存の問題を効果的に解決した。
【図面の簡単な説明】
【００１３】
【図１】図１は、本考案の電気回路のブロック図である。
【図２】図２は、本考案の第１の好適な実施例の詳細な電気回路図である。
【図３】図３は、本考案の第１の好適な実施例の外観概要図である。
【図４】図４は、本考案の第２の好適な実施例の外観概要図である。
【図５】図５は、本考案の第３の好適な実施例の外観概要図である。
【考案を実施するための形態】
【実施例】
【００１４】
本考案の基本アーキテクチャは、図１に示すように、コントローラ１０、ブルートゥース無線モジュール２０および指示ユニット３０を含む。
【００１５】
コントローラ１０は、マイクロプロセッサチップで構成され、切替および保存機能を有する。コントローラ１０は、１個以上の入力ポート、１個以上の出力ポートおよび１個以上の入／出力ポート（Ｉ／Ｏ）を有する。さらに、コントローラ１０の入力ポートに切替スイッチ１１が設けられる。切替スイッチ１１は、ブルートゥース装置の接続対象を切り換えるのに使用される制御インターフェースである。しかしながら、ブルートゥース装置が１つのキーボードであるとき、切替スイッチ１１は、標準キーボード配列のうちの１つのキー、または標準キーボード配列以外の独立したキーであってもよい。標準キーボード配列で、機能定義を経たコンビネーションキー（２個以上のキー）であってもよい。
【００１６】
ブルートゥース無線モジュール２０は、無線ユニット２１、アンテナ２２および制御ユニットを含む。本実施例において、ブルートゥース無線モジュール２０の制御ユニットは、コントローラ１０で整合される。ブルートゥース無線モジュール２０は既知の部品であり、本考案の主要な技術特徴の部分ではないため、その詳細な構造状態は詳細に記述しない。
【００１７】
指示ユニット３０は、コントローラ１０の出力ポートに設けられ、接続対象を識別する情報を生成する。その情報は、数字、符号または色などでよい。具体的な実施例において、指示ユニット３０はディスプレイ、例えば液晶ディスプレイ、７セグメントディスプレイなどでよい。液晶ディスプレイの場合、図案（例えば「米」の字）、数字（番号）を表示することができ、７セグメントディスプレイの場合、単純に番号を表示する。ディスプレイ以外に、指示ユニット３０を１個以上の発光ダイオードで構成してもよく、複数の発光ダイオードで構成される指示灯の組合せ、または２色以上の光線を生成することができるシングルＬＥＤが含まれる。前者は、異なる発光ダイオードを点灯して異なる接続対象を示し、後者は異なる色の光線で、異なる接続対象を表す。
【００１８】
前記技術を利用して、ブルートゥース装置は、すでにペアリングした各ホスト間の切替を簡単に行うことができる。接続対象を切り替えた後は、いかなる設定過程を経る必要はなく、直接使用することができる。
【００１９】
ブルートゥース装置およびホストのペアリング方法は、従来のブルートゥース装置と同じである。異なる点は、以下の部分である。ブルートゥース装置を起動した後、まず切替スイッチ１１を利用し、ホストと接続するため、１つの識別情報（例えば番号）を選択する。識別情報は、指示ユニット３０に表示される。この後の設定過程は、従来のブルートゥース装置と同じである。ブルートゥース装置がキーボードの場合、ホストがブルートゥースキーボードを検索する。さらにユーザがブルートゥースキーボードを選択すると、すぐにホスト側で１組の暗号化キーが生成される。ユーザがブルートゥースキーボードに、暗号化キーを入力すると、すぐにペアリングが完成する。暗号化キーは、コントローラ１０によって保存され、指示ユニット３０に表示される識別情報との関連付けが確立される。前記方法を利用して、異なるホストに対して異なる識別情報が与えられ、ブルートゥースキーボードおよび異なるホストのペアリングが、それぞれ完成する。
【００２０】
ブルートゥースキーボードおよび複数のホストのペアリングが完成すると、それぞれ前述したホストとのいずれかの接続を、繰り返し設定する必要はない。ブルートゥースキーボードをホストのうちの１つとペアリング接続させてから、別のホストとのペアリング接続に切り替えるとき、ユーザは切替スイッチ１１を利用し、接続したいホストを選ぶ必要があるだけである（指示ユニット３０が表示する情報を通して確認する）。コントローラ１０は、この情報に対応する暗号化キーによって、データの暗号化を行った後、ホストに伝送し、ホストとの接続を構成する。言い換えると、ユーザは単一のキーを押す動作を必要とするだけで、接続対象の切替を容易に完成することができ、いかなる設定過程も繰り返す必要はない。
【００２１】
前記説明では、ブルートゥースキーボードを例としおり、その実施例を実行する電気回路図は、図２に示す通りである。本実施例において、コントローラ１０は符号化回路であり、そのリードＳ０〜Ｓ１８、Ｒ０〜Ｒ７は、それぞれ図の右側に示すキーボード配列１２と接続する。コントローラ１０の切替スイッチ１１は、キーボード配列１２のキー（Ｍｕｔｉ−ＩＤ）で構成される。
【００２２】
指示ユニット３０は、７セグメントディスプレイで構成され、表示された数字が、接続対象を識別する情報となる（番号で接続するホストを区別する）。その具体的な実現方法は図３に示す通りであり、キーボード４０の１つの角部分に７セグメントディスプレイ４１が設置される。切替スイッチ（図示せず）を切り替えると、７セグメントディスプレイ４１は数字形式の識別情報を表示することができ、ユーザがその選択を確認できる。
【００２３】
さらに、前記実施例は、ブルートゥースキーボードを例としているが、前記技術のブルートゥース装置の使用は、キーボードに制限されない。キーボード以外に、ブルートゥースマウス、ブルートゥースイヤホン、ブルートゥーススピーカ、ブルートゥースジョイスティックなどに使用される。図４に示すのは、ブルートゥースマウス５０である。マウス５０の上部に指示ユニットが設置され、指示ユニットは複数の発光ダイオードからなる指示灯５１で構成される。異なる指示灯５１が点灯することで、異なる接続対象を識別できる。その切替スイッチ（図示せず）は、マウス５０の底面に設けられる。
【００２４】
他に図５に示すのは、ブルートゥーススピーカ６０である。ブルートゥーススピーカ６０の指示ユニットは、液晶ディスプレイ６１で構成され、表示する図案は、基本的に「米」の字であり、異なる字画を利用して異なる接続対象を指示する。ブルートゥーススピーカ６０に、独立した切替スイッチ１１が設けられ、接続対象を切り替える。
【符号の説明】
【００２５】
１０  コントローラ
１１  切替スイッチ
１２  キーボード配列
２０  ブルートゥース無線モジュール
２１  無線ユニット
２２  アンテナ
３０  指示ユニット
４０  ブルートゥースキーボード
４１  ７セグメントディスプレイ
５０  ブルートゥースマウス
５１  指示灯
６０  ブルートゥーススピーカ
６１  液晶ディスプレイ
【図１】
0003168344.tif 000003
【図２】
0003168344.tif 000004
【図３】
0003168344.tif 000005
【図４】
0003168344.tif 000006
【図５】
0003168344.tif 000007